(57)【要約】      （修正有）【課題】快眠及び健康の増進が期待できる枕を提供する。【解決手段】この枕２は、袋部材と、この袋部材の内部に充填される充填剤とを備えており、上記袋部材に、一本の中央接合部１２、複数の左側接合部１４、及び、複数の右側接合部１６が形成されており、上記各接合部１２、１４、１６は、上記袋部材の上シートと下シートとが接合されている部位であり、袋部材の一端縁４ａから内方に向けて線状に形成されており、上記複数の左側接合部１４の位置は、上記中央接合部１２から左側にそれぞれが間隔を置いており、上記複数の右側接合部１６の位置は、上記中央接合部１２から右側にそれぞれが間隔を置いており、上記左側接合部１４の先端及び上記右側接合部１６の先端が、上記中央接合部１２の先端位置又はこれより上記一端縁４ａ側の位置にある。【選択図】図１
0003205017.tif 000002
【実用新案登録請求の範囲】
【請求項１】
袋部材と、この袋部材の内部に充填される充填剤とを備えており、
上記袋部材に、一本の中央接合部、複数の左側接合部、及び、複数の右側接合部が形成されており、
上記各接合部は、上記袋部材の上面部と下面部とが接合されている部位であり、袋部材の一端縁から内方に向けて線状に形成されており、
上記複数の左側接合部の位置は、上記中央接合部から左側にそれぞれが間隔を置いており、
上記複数の右側接合部の位置は、上記中央接合部から右側にそれぞれが間隔を置いており、
上記左側接合部の先端及び上記右側接合部の先端が、上記中央接合部の先端位置又はこれより上記一端縁側の位置にある、枕。
【請求項２】
上記中央接合部の延長線上の位置に、ドット状接合部が形成されている、請求項１に記載の枕。
【請求項３】
上記一端縁と対向する他端縁から、上記中央接合部の延長線上を内方に向けて、上部接合部が形成されている、請求項１又は２に記載の枕。
【請求項４】
上記左側接合部の先端及び上記右側接合部の先端が、中央側に隣接している接合部の先端より上記一端縁に向けて変位した位置にある、請求項１から３のいずれかに記載の枕。
【考案の詳細な説明】
【技術分野】
【０００１】
本考案は枕に関する。
【背景技術】
【０００２】
従来、使用者の頭の安定を図り、首に負担をかけず、それによって安眠を誘う効果を期待した枕が提案されている。例えば、特開２００７−６８７６２号公報には、使用者の首から後頭部に至る範囲に切れ込みが形成された枕が提案されている。この枕では、上記切れ込みにより、左枕部と右枕部と連結枕部とが形成されている。
【０００３】
この枕では、左枕部と右枕部とが使用者の頭及び首を支持する。この枕は、その切れ込み部が使用者の４に対応するので４には負担がかからない、というものである。
【０００４】
しかしながら、この枕であっても、使用者の首部と背部との間に段差を作ってしまうおそれがある。この段差の感触、すなわち痛みにより、使用者の快眠が阻害されるおそれがある。
【先行技術文献】
【特許文献】
【０００５】
【特許文献１】特開２００７−６８７６２号公報
【考案の概要】
【考案が解決しようとする課題】
【０００６】
本考案は、上記現状に鑑みてなされたものであり、使用者の首等を健全な姿勢にし、快眠の提供、健康の増進を目指した枕を提供することを目的としている。
【課題を解決するための手段】
【０００７】
本考案に係る枕は、
袋部材と、この袋部材の内部に充填される充填剤とを備えており、
上記袋部材に、一本の中央接合部、複数の左側接合部、及び、複数の右側接合部が形成されており、
上記各接合部は、上記袋部材の上面部と下面部とが接合されている部位であり、袋部材の一端縁から内方に向けて線状に形成されており、
上記複数の左側接合部の位置は、上記中央接合部から左側にそれぞれが間隔を置いており、
上記複数の右側接合部の位置は、上記中央接合部から右側にそれぞれが間隔を置いており、
上記左側接合部の先端及び上記右側接合部の先端が、上記中央接合部の先端位置又はこれより上記一端縁側の位置にある。
【０００８】
好ましくは、上記中央接合部の延長線上の位置に、ドット状接合部が形成されている。
【０００９】
好ましくは、上記一端縁と対向する他端縁から、上記中央接合部の延長線上を内方に向けて、上部接合部が形成されている。
【００１０】
好ましくは、上記左側接合部の先端及び上記右側接合部の先端が、中央側に隣接している接合部の先端より上記一端縁に向けて変位した位置にある。
【考案の効果】
【００１１】
本考案に係る枕によれば、使用者の４、胸椎に負担を与えず、快眠の提供、健康の増進が期待できる。
【図面の簡単な説明】
【００１２】
【図１】図１は、本考案の一実施形態に係る枕を示す斜視図である。
【図２】図２は、図１に示す枕の平面図である。
【図３】図３は、図２の枕の底面図である。
【図４】図４（ａ）は、図１の枕のＡ−Ａ線に沿って見た断面図であり、図４（ｂ）は、図１の枕のＢ−Ｂ線に沿って見た断面図であり、図４（ｃ）は、図１の枕のＣ−Ｃ線に沿って見た断面図であり、図４（ｄ）は、図１の枕のＤ−Ｄ線に沿って見た断面図であり、図４（ｅ）は、図１の枕のＥ−Ｅ線に沿って見た断面図であり、図４（ｆ）は、図１の枕のＦ−Ｆ線に沿って見た断面図である。
【考案を実施するための形態】
【００１３】
以下、適宜図面が参照されつつ、好ましい実施形態に基づいて本考案が詳細に説明される。
【００１４】
図１から図３には、本考案の一実施形態に係る枕２が示されている。この枕２は、袋部材４と、この袋部材４の内部に充填された充填剤６（図４参照）とを備えている。この袋部材４及び枕２は、その平面視が長方形を呈しているが、長方形には限定されない。上記袋部材４は、布等の通気性を有する上シート（上面部）８及び下シート（下面部）１０から形成されている。ここでは、上シート８は、使用者が頭を載せる面を構成し、下シート１０は、床面やベッドの上面に接地される面を構成する。上シート８と下シート１０とは、一枚のシートから形成されたものでもよく、周縁同士が接合された複数のシートから形成されたものでもよい。充填剤６としては、小径短小のパイプ材、蕎麦殻、豆類等が採用されうる。
【００１５】
図示のとおり、袋部材４には、複数の接合部１２、１４、１６、１８、２０が形成されている。接合部とは、袋部材４の上シート８と下シート１０とが接合されている部位である。本実施形態のごとく、袋部材４が布から形成されている場合には、接合部は、糸で縫い込むことによって形成されうる縫合部である。この枕２の、接合部及びその近傍の厚さは薄くなる。すなわち、枕２のその部分の高さが低くなる。接合部としては、上シート８と下シート１０とが密着した形態は勿論のこと、上シート８と下シート１０とが僅かに間隔を開けて連結された形態をも含む。
【００１６】
本実施形態に係る袋部材４には、一本の中央接合部１２、複数本の左側接合部１４、複数本の右側接合部１６、一本の上部接合部１８、及び、一個のドット状接合部２０が形成されている。中央接合部１２、左側接合部１４、右側接合部１６及び上部接合部１８は、いずれも略直線状を呈している。ドット状接合部２０は略小円形を呈している。ドット状接合部２０は、円形には限定されず、同等の大きさの楕円形、多角形等であってもよい。枕２の上面には、このドット状接合部２０を中心として全周にスロープが生じ、ドット状接合部２０を底部とした円形の凹所が形成されうる。
【００１７】
上記接合部の縫い目は、強靱な糸で縫う場合は１本でもよい。しかし、充填剤６の通過を阻止する観点からは、複数本の縫い目からなる接合部が好ましい。直線状の接合部１２、１４、１６、１８は、５ｍｍ以上２０ｍｍ以下の幅を有し、且つ、２本以上の縫い目からなるのが好ましい。ドット状接合部２０は、円形の直径又は多角形の対角線長が、５ｍｍ以上２０ｍｍ以下にされている。
【００１８】
中央接合部１２、左側接合部１４及び右側接合部１６は、袋部材４の一端縁４ａ（使用者の肩側の端縁）から内方に向けて直線状に延びている。いずれの接合部１２、１４、１６も、他端縁（一端縁４ａと対向した端縁）にまでは至っていない。中央接合部１２は、長方形枕２の左右に延びる長辺のほぼ中央部に位置している。複数本の左側接合部１４は、中央接合部１２の向かって左側に配置されており、複数本の右側接合部１６は、中央接合部１２の向かって右側に配置されている。これら中央接合部１２及び左右の接合部１４、１６は、全て、長辺方向に等間隔を置き、且つ、互いに平行に配置されている。特に等間隔及び平行には限定されない。
【００１９】
中央接合部１２及び左右の接合部１４、１６の長さは以下の通りである。まず、枕２の縦長さはＬで表され、横幅はＷで表されている。中央接合部１２の長さＬ１２が最も長くされている。中央接合部１２に隣接した左側接合部１４ａ及び右側接合部１６ａの長さＬＡが、中央接合部１２の長さＬ１２と同一にされている。これは、使用者の首に対応する部分に幅の広い凹所を形成しておくことにより、左右からの首への支持圧を低減すること、及び、首部を均等且つ柔軟に支持することを目的としたものである。他の左側接合部１４ｂ、１４ｃ、１４ｄ、及び、他の右側接合部１６ｂ、１６ｃ、１６ｄの長さＬＢ、ＬＣ、ＬＤは、中央接合部１２から離れるほど短くされている。より具体的には、これらの接合部の長さは、中央接合部１２からの離間距離にほぼ比例して漸減している。上記隣接接合部１４ａ、１６ａを中央接合部１２より短くしてもよい。
【００２０】
この直線状の中央接合部１２及び左右の接合部１４、１６の長さの分布の調整は、使用者の首及び肩の線に対応させるものである。従って、実質的な意味を持つのは、各接合部の先端位置の分布である。中央接合部１２に隣接する左側及び右側の接合部１４ａ、１６ａの先端が、中央接合部１２の先端位置と同一位置に在る。他の左側接合部１４ｂ、１４ｃ、１４ｄ及び右側接合部１６ｂ、１６ｃ、１６ｄは、中央接合部１２から離れるほど、その先端が上記一端縁４ａに近づいた位置となる。具体的には、これらの接合部の先端位置は、当該接合部の中央接合部１２からの離間距離にほぼ比例した寸法だけ、中央接合部１２の先端位置から上記一端縁４ａに向けて変位している。特に比例することには限定されない。各接合部の先端位置は、その中央側に隣接している接合部の先端位置と同一位置か、又は、これより一端縁４ａに向けて変位した位置であるのが好ましい。
【００２１】
本実施形態では、上記中央及び左右の接合部１２、１４、１６の全てが、一直線状の一端縁４ａから内方へ延びているため、前述のように接合部の長さの分布を調整しても、接合部の先端位置の調整と同一の結果となる。左側接合部１４の先端位置及び長さと、右側接合部１６の先端位置及び長さとは、中央接合部１２に関して、線対称となっている。
【００２２】
枕２の一端縁４ａ側には、複数本の接合部１２、１４、１６が平行に並んでいる。従って、この枕２の使用中に、その一端縁４ａ側は、他の部分に較べて撚れやすい。この撚れを防止するために、袋部材４の下シート１０には、一端縁４ａに沿って、補強シート２２が貼着されている。この補強シート２２は、撚れ防止に有効な幅を持っている。例えば、一端縁４ａから約５０ｍｍの幅である。撚れ防止という目的のため、補強シート２２は、上シート８及び下シート１０の各剛性より高い剛性を有しているのが好ましい。補強シート２２の貼着対称面は、下シート１０の外面でも内面でもよい。
【００２３】
上記ドット状接合部２０は、中央接合部１２の延長線上の位置に形成されている。上記上部接合部１８は、袋部材４の他端縁４ｂから、中央接合部１２の延長線上を、内方に向けて延びている。その長さはＬ１８で表されている。上記他端縁４ｂとは、図１から図３に示すように、上記一端縁４ａと対向し且つ平行の端縁をいう。中央接合部１２の先端と、上部接合部１８の先端とは離間している。この離間距離Ｄは、使用者の頭部を支持するのに効果的な寸法とされている。これら両先端の中間の位置に、上記ドット状接合部２０が位置している。
【００２４】
本実施形態では、直線状である中央、左右及び上部の接合部１２、１４、１６、１８では、いずれも、上シート８と下シート１０とが密着しており、充填剤が通過することはできない。ドット状接合部２０では、上シート８と下シート１０とが、僅かに間隔を開けた状態で連結されていてもよい。すなわち、緩く縫合されていてもよい。なお、上部接合部１８及びドット状接合部２０については、いずれか一方のみが形成されていてもよく、両方とも形成されていなくてもよい。上部接合部１８及びドット状接合部２０が共に形成されていない場合は、中央接合部１２の長さをより長くしてもよい。中央接合部１２の先端が、例えば、図２における、ドット状接合部２０近傍の位置から他端縁４ｂ近傍の位置までの間に位置してもよい。
【００２５】
上記袋部材４には、充填剤６を出し入れするための、開閉可能な開口部２４が形成されている。充填剤６の充填量を、使用者の好み、体型等、種々の事情に合わせて調節することが可能である。開閉手段としては、いわゆるファスナー２６が採用されうる。このファスナー２６には、不用意な開操作を阻止するためのロックが設けられうる。本実施形態では、ロックとして、面ファスナー２８が採用されている。下シート１０側に、面ファスナー２８のループ面シート３０が固着されている。上シート８側に、面ファスナー２８のフック面シート３２が、その一端が自由の状態で取り付けられている。多数の微細フック片が多数の微細ループに係合することにより、フック面とループ面とが接合する。フック面シート３２が、ファスナー２６の摘まみ部２７を覆い隠したうえで、ループ面シート３０に接合されることにより、ロック作用がなされる。
【００２６】
図１から図４に示されるように、枕２の中央部に、中央接合部１２、ドット状接合部２０及び上部接合部１８が、縦方向に一列に並んでいる。これにより、袋部材４の内部空間が、連通部を介しながらも大きく左右に分かれている。すなわち、枕２には、大量の充填剤６が充填された大きなボリュームの左部３４と右部３６とが形成される。一方、隣接する中央及び左右の接合部１２、１４、１６同士の間には、小さい幅Ｓを有する多数の小スペース３８ａ、３８ｂ、３８ｃ、３８ｄ、４０ａ、４０ｂ、４０ｃ、４０ｄが形成され、左右両端にも小さい幅Ｒを有する小スペース３８ｅ、４０ｅが形成されている。左側小スペース３８ａ、３８ｂ、３８ｃ、３８ｄ、３８ｅは、上記左部３４と直接に連通し、右側小スペース４０ａ、４０ｂ、４０ｃ、４０ｄ、４０ｅは、右部３６と直接に連通している。これら小スペースには、少量の充填剤６しか入り込むことができない。また、中央接合部１２の先端とドット状接合部２０との間、及び、上部接合部１８の先端とドット状接合部２０との間にも、大量の充填剤６は入り込むことはできない。
【００２７】
図３を参照しつつ、枕２の外形及び各部の寸法を例示する。枕２の横幅Ｗが６３０ｍｍ、縦長さＬが４３０ｍｍ。中央接合部１２の長さＬ１２、及び、その隣接接合部１４ａ、１６ａの長さＬＡが、ともに１６０ｍｍ。上部接合部１８の長さＬ１８が１００ｍｍ。中央接合部１２と上部接合部１８との離間距離Ｄが１７０ｍｍ。接合部同士の間の上記小スペースの幅Ｓが５５ｍｍ。両端の小スペースの幅Ｒが７０ｍｍ。ここで、中央接合部１２の幅、上部接合部１８の幅、及び、ドット状接合部２０の直径は、いずれも１０ｍｍとした。左右の接合部１４、１６の幅はいずれも５ｍｍとした。上記寸法はいずれも例示である。図３に示されるような接合部の配置の場合であれば、上記例示寸法の±２０％の範囲内では前述した有意な効果が奏されうる。なお、枕の外形を大きくする場合、例えば枕２の横幅Ｗを大きくする場合は、左部３４、右部３６及び左右両端の小スペース３８ｅ、４０ｅが大きくなり、縦長さＬを大きくする場合は、上部接合部１８が長くなる。そして、使用者の肩、首及び頭部に対応する各接合部１２、１４、１６、２０の長さ及び位置については大きく変化させないのが好ましい。
【００２８】
以上に説明されたように、接合部１２、１４、１６、１８、２０の形成により、枕２の表面には凹凸が生じる。図４には、この凹凸が横断面形状によって表されている。本実施形態では、袋部材４に充填剤６を充填したときに、上面側が下面側より膨らむように、一つの内部空間を形成する上シート８と下シート１０の広さを相違させている。つまり、上シート８を、下シート１０より広くしている。
【００２９】
図示のごとく、枕２の上面の高さについて言えば、通常は、各接合部１２、１４、１６、１８、２０の部位が最も低い。次いで、上部接合部１８の近傍及びドット状接合部２０の近傍が低い。次いで、前述の小スペース３８ａ、３８ｂ、３８ｃ、３８ｄ、３８ｅ、４０ａ、４０ｂ、４０ｃ、４０ｄ、４０ｅの部位が低い。上記左部３４と右部３６とが最も高い。以上の高さ分布は、使用者が、枕２を押さえる等して、充填剤を強制的に移動させることによって変化させることが可能である。
【００３０】
この枕２の使用時、使用者は、後頭部をドット状接合部２０に位置合わせして仰臥位になる。このとき、使用者の首が中央接合部１２に沿って載る。スロープになった左右の小スペース３８、４０の上には、使用者の第３胸椎より上の部分が載る。このスロープが肩の傾斜形状に対応している。後頭部は、ドット状接合部２０を中心とした全周からの均等且つ柔軟な支持を受ける。首部全体の横突起は、小スペース３８ａ、４０ａから均等且つ柔軟な支持を受ける。さらに、一般的に骨が後方に突出しているおおよそ第７頸椎から第３胸椎までの範囲についても、それらの横突起が左右の小スペース３８ａ、４０ａから均等且つ柔軟な支持を受ける。以上のごとく、この枕２には、使用者の首に押圧されるような段差は存在しない。もちろん、以上のような作用効果については、使用者の枕２の用い方によって差が生じる。
【００３１】
この枕２では、左の小スペース３８から左部３４にかけての盛り上がり、及び、右の小スペース４０から右部３６にかけての盛り上がりが、使用者の肩のラインに沿うことができる。かかる構成によれば、従来の枕を仰臥位で使用したときに生じる使用者の肩の傾斜面と接地面との間の隙間を効果的に埋めることができる。この構成が狙う効果は、左部３４及び右部３６の盛り上がりにより、上記隙間を埋めた状態で肩部を支持することにより、この隙間に起因して発生しうる肩こりを効果的に防止することである。
【００３２】
上記上部接合部１８は、それによる枕２の凹みを使用者の頭部に感触として伝えることにより、使用者に枕２の中央部であることの明示を与える。上部接合部１８と中央接合部１２との間の部分は、ドット状接合部２０の有無に関わらず、凹み易くなる。その結果、仰臥位にある使用者の頭部は安定しやすい。そして、使用中に頭部が枕２の上方に位置ズレしても、頭部の位置が高くなり過ぎず、安定する。
【００３３】
側臥位の場合、使用者の頭は、左部３４又は右部３６の上に横向きに載る。左部３４及び右部３６は、肩用のスペースを取って頭部を支持しうる適度な高さと左右上下幅と柔軟性とを有している。
【産業上の利用可能性】
【００３４】
本考案の枕は、万人向きであり且つ安価に製造可能でもある。
【符号の説明】
【００３５】
２・・・枕、    ４・・・袋部材、    ４ａ・・・一端縁、    ４ｂ・・・他端縁、    ６・・・充填剤、    ８・・・上シート、    １０・・・下シート、
１２・・・中央接合部、    １４・・・左側接合部、    １６・・・右側接合部、      １８・・・上部接合部、    ２０・・・ドット状接合部、    ２２・・・補強シート、  ２４・・・開口部、    ２６・・・ファスナー、
２７・・・（ファスナーの）摘まみ部、    ２８・・・面ファスナー、
３０・・・（面ファスナーの）ループ面シート、
３２・・・（面ファスナーの）フック面シート、    ３４・・・（枕の）左部、
３６・・・（枕の）右部、    ３８・・・左側小スペース、
４０・・・右側小スペース
【図１】
0003205017.tif 000003
【図２】
0003205017.tif 000004
【図３】
0003205017.tif 000005
【図４】
0003205017.tif 000006